(57)【要約】【課題】軽量で意匠性に優れ低コストの戸体等を提供する。【解決手段】芯材の両面に接着されている表面材を有し、空隙部が設けられている本体部と、本体部の外周端面と対向させて設けられるエッジ材と、エッジ材に固定されて空隙部内に配置され機能部品が固定される固定部材と、を有し、エッジ材は、機能部品が挿通される第１挿通孔を備えたエッジ材対面部と、幅方向における中央側に延出されたエッジ材延出部と、エッジ材延出部から突出する対向突出部と、を有し、固定部材は、機能部品が挿通される第２挿通孔を備えた固定部材対面部と、表面材と対面する一対の表面材対面部と、第２挿通孔より外側から外周側に突出し、第１挿通孔より外側に当接される当接片と、を有し、対向突出部と固定部材とは間隔が空けられており、本体部は、エッジ材対面部及び対向突出部とで形成される角部に付与された接着剤により接着されている。【選択図】図５
2018127824.tif 000002
【特許請求の範囲】
【請求項１】
パネル状の芯材、及び、
前記芯材の厚み方向における両面に各々接着されている非金属製の表面材を有し、
前記表面材の間において前記芯材が存在しない空隙部が、外周端面から内側に設けられている本体部と、
前記本体部の前記外周端面と対向させて設けられるエッジ材と、
前記エッジ材に固定されて前記空隙部内に配置され機能部品が固定される固定部材と、
を有し、
前記エッジ材は、前記空隙部と連通し前記機能部品が挿通される第１挿通孔を備え前記外周端面と対面するエッジ材対面部と、前記エッジ材対面部から、前記厚み方向と交差する幅方向における中央側に各々延出されたエッジ材延出部と、各々の前記エッジ材延出部から互いに対向する方向に突出する対向突出部と、
を有し、
前記固定部材は、前記エッジ材対面部と対面し、前記機能部品が挿通される第２挿通孔を備えた固定部材対面部と、前記固定部材対面部から前記幅方向の中央側に延出され前記厚み方向に間隔を空けて設けられて前記表面材と対面する一対の表面材対面部と、前記固定部材対面部の前記厚み方向において前記第２挿通孔より外側から外周側に突出し、前記厚み方向において前記エッジ材対面部の前記第１挿通孔より外側に当接される当接片と、を有し、
前記対向突出部と前記固定部材とは間隔が空けられており、
前記本体部は、前記エッジ材延出部間にて前記エッジ材対面部及び前記対向突出部とで形成される角部に付与された接着剤により接着されていることを特徴とする戸体。
【請求項２】
請求項１に記載の建具であって、
前記固定部材は、水平断面が矩形状をなし、上下方向に連通する中空部を備えていることを特徴とする戸体。
【請求項３】
請求項１または請求項２に記載の戸体と、
前記戸体が案内されるレールと、
を有することを特徴とする建具。
【発明の詳細な説明】
【技術分野】
【０００１】
本発明は、戸体及び建具に関する。
【背景技術】
【０００２】
建具が備える戸体として、たとえば、金属製の薄板からなる表裏面板の四周縁に折曲辺を形成し、表裏面板を貼り合わせて箱状としたパネル本体の内部に芯材が装填されているドアパネルが知られている（例えば、特許文献１参照）。
【先行技術文献】
【特許文献】
【０００３】
【特許文献１】特許第３７４０５７２号公報
【発明の概要】
【発明が解決しようとする課題】
【０００４】
上述したドアパネルのような戸体は、表裏面材として金属製の薄板を使用しているためコストが高く、また、重量が嵩むという課題がある。このため、近年、芯材としてダンボールコア等を用い、表面材として例えば紙などの非金属製の部材を用いた、軽量かつ低コストの戸体が提供されている。このような戸体は、意匠性を向上させるために、表面材に壁紙などの化粧材を貼り付けるとともに、芯材及び表面材の外周を囲むように接着されるエッジ材における表面材側の見付け幅が狭く形成されている。エッジ材には戸体が備える錠などの機能部材が外周側から挿入される挿通孔が設けられており、エッジ材を接着している接着剤が挿通孔から露出して意匠性が低下する虞があるという課題がある。
本発明は、かかる課題に鑑みてなされたものであり、その目的とするところは、軽量で意匠性に優れ低コストの戸体及び建具を提供することにある。
【課題を解決するための手段】
【０００５】
かかる目的を達成するために本発明の戸体は、パネル状の芯材、及び、前記芯材の厚み方向における両面に各々接着されている非金属製の表面材を有し、前記表面材の間において前記芯材が存在しない空隙部が、外周端面から内側に設けられている本体部と、前記本体部の前記外周端面と対向させて設けられるエッジ材と、前記エッジ材に固定されて前記空隙部内に配置され機能部品が固定される固定部材と、を有し、前記エッジ材は、前記空隙部と連通し前記機能部品が挿通される第１挿通孔を備え前記外周端面と対面するエッジ材対面部と、前記エッジ材対面部から、前記厚み方向と交差する幅方向における中央側に各々延出されたエッジ材延出部と、各々の前記エッジ材延出部から互いに対向する方向に突出する対向突出部と、を有し、前記固定部材は、前記エッジ材対面部と対面し、前記機能部品が挿通される第２挿通孔を備えた固定部材対面部と、前記固定部材対面部から前記幅方向の中央側に延出され前記厚み方向に間隔を空けて設けられて前記表面材と対面する一対の表面材対面部と、前記固定部材対面部の前記厚み方向において前記第２挿通孔より外側から外周側に突出し、前記厚み方向において前記エッジ材対面部の前記第１挿通孔より外側に当接される当接片と、を有し、前記対向突出部と前記固定部材とは間隔が空けられており、前記本体部は、前記エッジ材延出部間にて前記エッジ材対面部及び前記対向突出部とで形成される角部に付与された接着剤により接着されているである。
【０００６】
このような戸体によれば、非金属製の表面材が、パネル状の芯材に接着されて本体部をなしているので、軽量且つ安価な戸体を提供することが可能である。また、表面材が、エッジ材対面部及び対向突出部とで形成される角部に付与された接着剤により接着されているので、接着する際に、固定部材対面部及び対向突出部と本体部との間に接着剤が介在されるように配置されている。このとき、エッジ材の対向突出部と固定部材とは間隔が空けられているので、接着剤は、対向突出部と固定部材との隙間からエッジ材対面部側に押し出される。機能部品が挿入される第２挿通孔を備えた固定部材の固定部材対面部には、厚み方向における第２挿通孔の両側から外周側に突出してエッジ材対面部の第１挿通孔の外側に当接される当接片が設けられているので、接着剤がエッジ材対面部側に押し出されたとしても、第１挿通孔及び第２挿通孔の内側に進入することはなく、接着剤が外部に露出することはない。このため、軽量で意匠性に優れ低コストの戸体を提供することにある。
【０００７】
かかる建具であって、前記固定部材は、水平断面が矩形状をなし、上下方向に連通する中空部を備えていることが望ましい。
このような戸体によれば、表面材の間において芯材が存在しない空隙部内に配置される金属製の固定部材が、水平断面が矩形状をなし、上下方向に連通する中空部を備えているので、戸体の厚み方向に作用する押圧力に対してより高い剛性を備えた戸体を提供することが可能である。
【０００８】
また、前記戸体と、前記戸体が案内されるレールと、を有することを特徴とする建具である。
このような建具によれば、軽量で意匠性に優れ低コストの戸体を備えた建具を提供することが可能である。
【発明の効果】
【０００９】
本発明によれば、軽量で意匠性に優れ低コストの戸体及び建具を提供することが可能である。
【図面の簡単な説明】
【００１０】
【図１】本実施形態に係る建具を示す縦断面図である。
【図２】本実施形態に係る建具を示す水平断面図である。
【図３】空隙部周辺を示す縦断面図である。
【図４】戸先側に設けられる施錠機構の取り付け構造を示す斜視図である。
【図５】エッジ材と引戸本体部との接着状態を示す水平断面図である。
【図６】対向突出部の変形例を示す水平断面図である。
【図７】突出片の変形例を示す水平断面図である。
【発明を実施するための形態】
【００１１】
以下、本発明の一実施形態に係る戸体および建具について図面を参照して説明する。
本実施形態では、図１、図２に示すように、隣り合う二つの空間を連通する開口２ａを開閉可能な、戸体としての引戸１を備え、上部に設けられたハンガー１ａにより上レール２ｂに吊り下げられた引戸１が、上レール２ｂと下ガイド２ｃとに案内されて移動する、所謂、上吊り式の建具（以下、建具という）２を例に挙げて説明する。
【００１２】
本実施形態においては、隣り合う２つの空間を室内空間及び室外空間として説明する。
上レール２ｂは、開口２ａを形成するまぐさ２ｄに設けられており、下ガイド２ｃは、開口２ａを形成する床２ｅに設けられている。
【００１３】
引戸１は、芯材としてのパネル状をなすダンボールコア１１、及び、ダンボールコア１１の両面にそれぞれ接着された表面材１２を有する引戸本体部１０と、引戸本体部１０の外周を囲み当該引戸本体部１０の外周端面をなす上下左右の各端面１０ａと対面させて設けられたエッジ材１３、１４、１５、１６と、表面材１２に貼り付けられた化粧材１７と、を有している。
【００１４】
ダンボールコア１１は、略矩形状をなしており、室内側面１１ａ及び室外側面１１ｂにそれぞれグルーサンド紙などの紙製の部材でなる表面材１２が接着剤により接着されている。
【００１５】
引戸本体部１０の上下方向においては、表面材１２がダンボールコア１１より上方及び下方にそれぞれ突出しており、左右方向においては、ダンボールコア１１の端部と表面材１２の端部とが一致している。また、引戸本体部１０には、左側となる戸先側の一部に、表面材１２の間においてダンボールコア１１が存在しない空隙部１０ｂが戸先側の端面１０ａから内側に設けられている。空隙部１０ｂは、例えば、両面に表面材１２が接着されているダンボールコア１１が、戸先側の端面１０ａ側から切除されて形成されている。
【００１６】
エッジ材１３、１４、１５、１６はいずれも押出成形部材であり、ダンボールコア１１の上の端面１０ａと対面する上エッジ材１３及びダンボールコア１１の下の端面１０ａと対面する下エッジ材１４は、長手方向に沿って貫通し、断面がほぼ矩形状をなし中空部１３ａ、１４ａを形成する中空部形成部１３ｂ、１４ｂを有している。
【００１７】
上エッジ材１３の中空部形成部１３ｂは、ダンボールコア１１より上方に突出する表面材１２間に挿入されて、ダンボールコア１１の上の端面と対面し、中空部形成部１３ｂの室内側及び室外側の壁部１３ｃが、ダンボールコア１１の室内側面１１ａ及び室外側面１１ｂとともに表面材１２と接着されている。
【００１８】
下エッジ材１４の中空部形成部１４ｂは、ダンボールコア１１より下方に突出する表面材１２間に挿入されて、ダンボールコア１１の下の端面と対面し、中空部形成部１４ｂの室内側及び室外側の壁部１４ｃが、ダンボールコア１１の室内側面１１ａ及び室外側面１１ｂとともに表面材１２と接着されている。
【００１９】
上エッジ材１３には、上方に突出するハンガー１ａが取り付けられており、下エッジ材１４には、下ガイド２ｃが挿入される溝１４ｄが形成されている。
【００２０】
戸先側のエッジ材１５と、戸尻側のエッジ材１６とは、同一の部材であり、引戸本体部１０の左側（戸先側）の端面１０ａ（図３）または右側（戸尻側）の端面１０ａと対面するとともに各端面１０ａと間隔を空けて設けられたエッジ材対面部１５ａ、１６ａと、ダンボールコア１１の厚み方向、すなわち、引戸本体部１０の厚み方向におけるエッジ材対面部１５ａ、１６ａの両端から、厚み方向と交差するダンボールコア１１の幅方向、すなわち引戸本体部１０の幅方向における中央側に各々延出されて厚み方向にて対向するエッジ材延出部１５ｂ、１６ｂと、各エッジ材延出部１５ｂ、１６ｂから互いに対向する側に突出された対向突出部１５ｃ、１６ｃと、を有している。エッジ材対面部１５ａ、１６ａには、引戸本体部１０の厚み方向における中央側に、ダンボールコア１１の端面側に窪む縦溝部１５ｄ、１６ｄが設けられており、縦溝部１５ｄ、１６ｄには、エッジ材対面部１５ａ、１６ａとともに外周側の平坦な面を形成するようにカバー材３が嵌め込まれている。
【００２１】
図３、図４に示すように、戸先側のエッジ材１５には、引戸１の戸先側に設けられる機能部品としての施錠ユニット４を固定するための、ステンレス製の固定部材５が固定されている。また、戸先側のエッジ材１５には、引戸１内に施錠ユニット４を外周側から挿入するための第１挿通孔１５ｅが設けられている。第１挿通孔１５ｅは、厚み方向における幅が、戸先側のエッジ材１５に設けられている縦溝部１５ｄの幅より僅かに広い縦長の開孔である。
【００２２】
固定部材５は、上下方向に貫通する中空部５ａを形成して水平断面が矩形状をなす固定部材本体部５ｂと、固定部材本体部５ｂから戸先側に突出する突出片５ｃと、を有している。固定部材本体部５ｂは、中空部５ａの戸先側の壁部をなし戸先側のエッジ材１５のエッジ材対面部１５ａと対面する固定部材対面部５ｄと、固定部材対面部５ｄの縁から引戸１の幅方向の中央側、すなわち戸尻側にそれぞれ延出され表面材１２と対面する一対の表面材対面部５ｅと、固定部材対面部５ｄと引戸１の幅方向に間隔を空けて設けられ一対の表面材対面部５ｅの戸尻側の縁を繋ぐ戸尻側壁部５ｆとを有している。
【００２３】
固定部材対面部５ｄには、中空部５ａに挿入される施錠ユニット４が挿通される第２挿通孔５ｇが設けられている。第２挿通孔５ｇは、固定部材対面部５ｄの、引戸１の厚み方向における幅より狭く上下方向に長い縦長の開孔である。また、固定部材対面部５ｄに、引戸１の厚み方向において、第２挿通孔５ｇを挟むように第２挿通孔５ｇの両側に、リブ状をなす２本の突出片５ｃが固定部材５の全長に渡って設けられている。突出片５ｃは、第２挿通孔５ｇより上方及び下方に長く繋がって形成されている。
【００２４】
固定部材本体部５ｂを形成し、中空部５ａの室内側及び室外側に位置する一対の表面材対面部５ｅには、施錠ユニット４と係合して室内側及び室外側から施錠・解除の操作を可能とする操作部６が挿入される操作部取付孔５ｈが設けられている。
【００２５】
施錠ユニット４は、第１挿通孔１５ｅ及び第２挿通孔５ｇの幅より薄い直方体状の錠ケース４ａ内に施錠機構部４ｂが設けられており、室内側及び室外側から挿入されて施錠機構部４ｂと係合される操作部６を操作することにより施錠機構部４ｂが備える鉤状部４ｃが回動して戸先側から突出するように構成されている。鉤状部４ｃは、引戸１を閉じた状態で突出すると、開口２ａを形成する戸当たり部２ｆに設けられている係合部（不図示）に係合されるように構成されている。錠ケース４ａには、戸先側の縁に上下方向に各々突出し、取付金具７を介して固定部材５に取り付けられる固定片４ｄが設けられている。
【００２６】
固定部材５は、リブ状をなす２本の突出片５ｃ間の固定部材対面部５ｄに戸先側のエッジ材１５の縦溝部１５ｄの底をなす底形成部１５ｇが当接され、固定部材５に施錠ユニット４を取り付けるための取付金具７に螺合されるビスによりエッジ材１５に取り付けられる。より具体的には、戸先側のエッジ材１５と固定部材５とは、第１挿通孔１５ｅ及び第２挿通孔５ｇが重なる位置で、底形成部１５ｇが固定部材対面部５ｄに当接され、固定部材対面部５ｄの第２挿通孔５ｇの上及び下の部位に、中空部５ａ内からそれぞれ当接された２つの取付金具７に底形成部１５ｇ側から進入するビスが螺合されて接合されている。
【００２７】
エッジ材１５と固定部材５とを接合する取付金具７は、第１挿通孔１５ｅ及び第２挿通孔５ｇの上端側及び下端側からそれぞれ、施錠ユニット４の固定片４ｄがビス止めされるユニット固定部７ａが、底形成部１５ｇより戸先側に突出させて設けられている。上側の取付金具７のユニット固定部７ａの下端と、下側の取付金具７のユニット固定部７ａの上端との間隔は、錠ケース４ａの上下方向の長さより広く形成されており、施錠ユニット４は、錠ケース４ａが引戸１の戸先側から上下の取付金具７の間を通して固定部材５の中空部５ａ内に挿入されて固定片４ｄが当接されるユニット固定部７ａに、第１挿通孔１５ｆを覆うカバープレート８とともにビス止めされる。
【００２８】
引戸本体部１０との四周にエッジ材１３、１４、１５、１６が取り付けられた状態では、室内側及び室外側から見たときに、全周の周端部に各エッジ材の１３、１４、１５、１６のエッジ材延出部１３ｄ、１４ｅ、１５ｂ、１６ｂに囲まれて表面材１２が露出しており、表面材１２に化粧材１７が貼り付けられて引戸１をなしている。このため、引戸１を室内側及び室外側から見たときには、見付け幅が狭いエッジ材１３、１４、１５、１６は見えるものの略全域が化粧材１７で覆われるため、引戸１はより高い意匠性を有している。
【００２９】
図５に示すように、施錠ユニット４が固定部材５及び取付金具７を介して取り付けられた戸先側のエッジ材１５は、固定部材５が、ダンボールコア１１に設けられた空隙部１０ｂに挿入されるとともに、エッジ材１５のエッジ材延出部１５ｂ及び対向突出部１５ｃにより形成される角部に接着剤１８が付与された状態で、引戸本体部１０の戸先側の端部１０ａが、引戸１の厚み方向に対向するエッジ材延出部１５ｂ間に挿入されて接着される。空隙部１０ｂに配置された固定部材５は、空隙部１０ｂにおける表面材１２の厚み方向の押圧に対する補強材をなしている。
【００３０】
引戸本体部１０と戸先側のエッジ材１５とが接着された状態では、固定部材５の２本の突出片５ｃが、エッジ材１５のエッジ材対面部１５ａにおいて、引戸１の厚み方向における第１挿通孔１５ｅの両側に当接しており、対向突出部１５ｃと固定部材５との間には隙間Ｓが設けられている。ここで、固定部材５の突出片５ｃが、固定部材対面部５ｄの、引戸１の厚み方向において第２挿通孔５ｇより外側から外周側に突出し、引戸１の厚み方向においてエッジ材対面部１５ａの第１挿通孔１５ｅより外側に当接される当接片に相当する。
【００３１】
本実施形態の引戸１によれば、非金属製の表面材１２が、パネル状のダンボールコア１１に接着されて引戸本体部１０をなしているので、軽量かつ安価な引戸１を提供することが可能である。また、表面材１２が、エッジ材延出部１５ｂ及び対向突出部１５ｃにより形成される角部に付与された接着剤１８により接着されているので、エッジ材延出部１５ｂ及び対向突出部１５ｃと引戸本体部１０との間に接着剤１８が介在される。そして、エッジ材１５と引戸本体１０とを接着する際には、接着剤１８が、エッジ材１５の対向突出部１５ｃと固定部材５との隙間Ｓからエッジ材対面部１５ａ側に押し出される。このため、接着剤１８が表面材１２側に露出することを防止することが可能である。
【００３２】
また、施錠ユニット４が挿入される第２挿通孔５ｇを備えた固定部材５の固定部材対面部５ｄに、厚み方向における第２挿通孔５ｇの両側から戸先側に突出してエッジ材対面部１５ａの第１挿通孔１５ｅの外側に当接される突出片５ｃが設けられているので、の対向突出部１５ｃと固定部材５との隙間Ｓからエッジ材対面部１５ａ側に押し出された接着剤１８が、第１挿通孔１５ｅ及び第２挿通孔５ｇの内側に進入することはなく、接着剤１８が戸先側から外部に露出することはない。このため、軽量で意匠性に優れ低コストの引戸１を提供することにある。
【００３３】
また、表面材１２の間においてダンボールコア１１が存在しない空隙部１０ｂ内に配置される金属製の固定部材５が、水平断面が矩形状をなし、上下方向に連通する中空部５ａを備えているので、面外方向に作用する押圧力に対してより剛性が高い引戸１を提供することが可能である。
また、軽量で意匠性に優れ低コストの引戸１を備えた建具２を提供することが可能である。
【００３４】
上記実施形態においては、エッジ材１５の対向突出部１５ｃが、引戸１の厚み方向に沿って突出している例について説明したが、これに限らず、例えば、図６（ａ）に示すように、対向突出部１５ｃの先端側の部位が、突出方向の先端に向かってエッジ材対面部１５ａ側に傾斜する、或いは、図６（ｂ）に示すように、対向突出部１５ｃの先端側の部位がエッジ材対面部１５ａ側に位置するように屈曲していてもよい。この場合には、対向突出部１５ｃと固定部材５との間隔がより広がるので、接着剤１８がエッジ材対面部１５ａ側により移動し易くなる。
【００３５】
また、上記実施形態においては、固定部材５の突出片５ｃが、引戸１の幅方向に沿って突出している例について説明したが、これに限らず、例えば、図７（ａ）に示すように、突出片５ｃの先端側の部位が、突出方向の先端に向かってエッジ材延出部１５ｂ側に傾斜する、或いは、図７（ｂ）に示すように、突出片５ｃの先端が引戸１の厚み方向に沿って屈曲していてもよい。この場合には、突出片５ｃとエッジ材対面部１５ａとが重なる部分が広くなるので、接着剤１８が戸先側に露出することをより確実に防止することが可能である。
【００３６】
上記実施形態においては、機能部品として施錠ユニット４を例に挙げて説明したが、これに限らず、戸体の外周側からエッジ材の開孔を通して内部に挿入される部材であれば構わない。
上記実施形態においては、戸体として引戸１を例に挙げて説明したが、これに限らず開き戸等であっても構わない。
【００３７】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３８】
１  引戸、２  建具、２ｂ  上レール、２ｃ  下ガイド、４  施錠ユニット、
５  固定部材、５ａ  中空部、５ｃ  突出片、５ｄ  固定部材対面部、
５ｅ  表面材対面部、５ｇ  第２挿通孔、１０  引戸本体部、１０ａ  端面、
１０ｂ  空隙部、１１  ダンボールコア、１２  表面材、１５  エッジ材、
１５ａ  エッジ材対面部、１５ｂ  エッジ材延出部、１５ｃ  対向突出部、
１５ｅ  第１挿通孔、１８  接着剤、
Ｓ  隙間
【図１】
2018127824.tif 000003
【図２】
2018127824.tif 000004
【図３】
2018127824.tif 000005
【図４】
2018127824.tif 000006
【図５】
2018127824.tif 000007
【図６】
2018127824.tif 000008
【図７】
2018127824.tif 000009